【手続補正書】
【提出日】平成26年8月5日(2014.8.5)
【手続補正１】
【補正対象書類名】特許請求の範囲
【補正対象項目名】全文
【補正方法】変更
【補正の内容】
【特許請求の範囲】
【請求項１】
Ａ．軸状のインレットと放射状のアウトレットとを有するケースと、前記ケースに配置され、気体を前記インレットから第１圧力で吸引し、前記第１圧力よりも大きい第２圧力で前記アウトレットから放出するインペラと、前記インペラを駆動するモータと、を有する複数の送風ユニットと；  Ｂ．前記複数の送風ユニットのうち、少なくとも１つの送風ユニットのアウトレットと、少なくとも他の１つの送風ユニットのインレットとを接続するダクトと；  Ｃ．前記ダクトの内壁から選択され、前記ダクトが接続される送風ユニットのアウトレットから放出される気体の流動方向とほぼ平行となるように構成される、少なくとも１つの姿勢方位角機構と、前記複数の送風ユニットのアウトレットから放出された気体を受け取る気体ハウジングと；を有し、前記気体ハウジングの内壁は、前記アウトレットから放出される気体の流動方向とほぼ平行となるように構成される、遠心送風システム。
【請求項２】
前記複数の送風ユニットのうち、前記第１送風ユニットのアウトレットと前記第２送風ユニットのインレットとの姿勢方位角は、０度、９０度、１８０度、または２７０度から選択され、及び／または、前記第１送風ユニットのアウトレットと前記第２送風ユニットのインレットとのピッチ角は、０度、９０度、１８０度、または２７０度から選択され、及び／または、前記気体ハウジングの内表面と、前記アウトレットと連結する送風ユニットとは、１２度から２０度の角度になるように配置される、請求項１に記載の遠心送風システム。
【請求項３】
前記送風システムに含まれる前記複数の送風ユニットのうち、少なくとも１つの送風ユニットは、他の送風ユニットよりも大きい気体の圧力及び流量を生成する、請求項１または２に記載の遠心送風システム。
【請求項４】
さらに、  Ｄ．前記送風システムの制御操作を調整する制御装置と、を有する、請求項１から３のいずれか１項に記載の遠心送風システム。
【請求項５】
Ａ．軸状のインレットと放射状のアウトレットとを有するケースと、前記ケースに配置され、気体を前記インレットから第１圧力で吸引し、前記第１圧力よりも大きい第２圧力で前記アウトレットから放出するインペラと、前記インペラを駆動するモータと、を有し、少なくとも１つの送風ユニットは、他の送風ユニットよりも大きい気体の圧力及び流量を生成する複数の送風ユニットと；  Ｂ．少なくとも１つの前記送風ユニットのアウトレットと、少なくとも１つの他の前記送風ユニットのインレットとを接続するダクトと；を有する、遠心送風システム。
【請求項６】
Ａ．軸状のインレットと放射状のアウトレットとを有するケースと、前記ケースに配置され、気体を前記インレットから第１圧力で吸引し、前記第１圧力よりも大きい第２圧力で前記アウトレットから放出するインペラと、前記インペラを駆動するモータと、を有する、複数の送風ユニットと；  Ｂ．少なくとも１つの前記送風ユニットのアウトレットと、少なくとも１つの他の前記送風ユニットのインレットとを接続するダクトと；  Ｃ．変化が早い気体の流量の需要に対し、前記送風システムの制御操作を独立して調整する制御装置と、を有する、遠心送風システム。
【請求項７】
前記複数の送風ユニットのうちの前記少なくとも１つの送風ユニットは前記送風システムが目標とする気体の流量の５０％から９０％を供給し、前記少なくとも他の１つの送風ユニットの作動により前記送風システムの気体の流量のバランスを目標値に調整する、請求項６に記載の遠心送風システム。
【請求項８】
前記複数の送風ユニットのうち、前記第１送風ユニットのアウトレットと前記第２送風ユニットのインレットとの姿勢方位角は、０度、９０度、１８０度、または２７０度から選択され、及び／または、前記第１送風ユニットのアウトレットと前記第２送風ユニットのインレットとのピッチ角は、０度、９０度、１８０度、または２７０度から選択され、及び／または、前記気体ハウジングの内表面と、前記アウトレットと連結する送風ユニットとは、１２度から２０度の角度になるように配置される、請求項５または６に記載の遠心送風システム。
【請求項９】
前記送風システムに含まれる前記複数の送風ユニットのうち、少なくとも１つの送風ユニットは、他の送風ユニットよりも大きい気体の圧力及び流量を生成する、請求項５または６に記載の遠心送風システム。
【請求項１０】
請求項１から６のいずれか１項に記載の送風システムを制御する方法であって、前記方法には：  Ａ．前記送風システムが送風する気体の流量の目標値の５０％から９０％を供給する、前記複数の送風ユニットのうちの前記少なくとも１つの送風ユニットを操作する工程と；  Ｂ．前記送風システムの気体の流量のバランスを目標値に調整する、前記少なくとも他の１つの送風ユニットを操作する工程と；を含む、送風システムを制御する方法。
【請求項１１】
Ａ．電解質層と、カソード層と、アノード層とを有する、少なくとも１つの燃料セルユニットとを含む燃料セルアセンブリと；  Ｂ．前記カソード層から燃料セルに酸化性ガスの流れを供給する第１遠心送風システムと、前記燃料セルユニットの前記アノード層に酸化性ガスの流れを供給する第２遠心送風システムと、を有し、前記燃料セルアセンブリは；  （Ｉ）軸状のインレットと放射状のアウトレットとを有するケースと、前記ケースに配置され、気体を前記インレットから第１圧力で吸引し、前記第１圧力よりも大きい第２圧力で前記アウトレットから放出するインペラと、前記インペラを駆動するモータと、を有する複数の送風ユニットと；  （ＩＩ）少なくとも１つの送風ユニットのアウトレットと、少なくとも他の１つの送風ユニットのインレットとを接続するダクトと；を有する、燃料セル。
【請求項１２】
前記遠心送風システムは；  （ＩＩＩ）前記ダクトの内壁から選択され、前記ダクトが接続される送風ユニットのアウトレットから放出される気体の流動方向とほぼ平行となるように構成される、少なくとも１つの姿勢方位角機構と、前記複数の送風ユニットのアウトレットから放出された気体を受け取る気体ハウジングと；を有し、前記気体ハウジングの内壁は、前記アウトレットから放出される気体の流動方向とほぼ平行となるように構成される、請求項１１に記載の遠心送風システム。
【請求項１３】
前記遠心送風システムにおいて、前記少なくとも１つの送風ユニットのアウトレットと、前記少なくとも他の１つの送風ユニットのインレットとの姿勢方位角は、０度、９０度、１８０度、２７０度のいずれかであり、及び／または前記少なくとも１つの送風ユニットのアウトレットと、前記少なくとも他の１つの送風ユニットのインレットとの角ピッチは、０度、９０度、１８０度、２７０度のいずれかである、請求項１１または１２に記載の燃料セル。
【請求項１４】
前記遠心送風システムにおいて、前記気体ハウジングの内表面と、前記アウトレットと連結される送風ユニットとは、１２度から２０度の角度になるように配置される、請求項請求項１２または１３に記載の燃料セル。
【請求項１５】
前記遠心送風システムにおいて、前記第１送風ユニットは、前記遠心送風システムに含まれる前記第２送風ユニットよりも気体の圧力及び流量が大きい、請求項１１から請求項１４のいずれか１項に記載の燃料セル。
【請求項１６】
前記遠心送風システムは、前記送風ユニットの作動を制御する制御部を有する、請求項１１から請求項１５のいずれか１項に記載の燃料セル。
【請求項１７】
Ａ．外側に配置されるカソード層と、中間に配置される電解質層と、内側に配置されるアノード層と、を含む、円筒状の固体酸化物形燃料電池を有する燃料セルアセンブリと；  Ｂ．前記固体酸化物形燃料電池の前記カソード層に酸化性ガスの流れを供給する第１遠心送風システムと、前記固体酸化物形燃料電池の前記アノード層に気体燃料の流れを供給する第２遠心送風システムと、を有する燃料電池であって、前記第１遠心送風システム及び前記第２遠心送風システムは、  （Ｉ）軸状のインレットと放射状のアウトレットとを有するケースと、前記ケースに配置され、気体を前記インレットから第１圧力で吸引し、前記第１圧力よりも大きい第２圧力で前記アウトレットから放出するインペラと、前記インペラを駆動するモータと、を有する複数の送風ユニットと；  （ＩＩ）複数の送風ユニットのうち、少なくとも１つの送風ユニットのアウトレットと、少なくとも他の１つの送風ユニットのインレットとを接続するダクトと；  （ＩＩＩ）前記ダクトの内壁から選択され、前記ダクトが接続される送風ユニットのアウトレットから放出される気体の流動方向とほぼ平行となるように構成される、少なくとも１つの姿勢方位角機構と、前記複数の送風ユニットのアウトレットから放出された気体を受け取り、前記気体ハウジングの内壁は、前記アウトレットから放出される気体の流動方向とほぼ平行となるように構成される気体ハウジングと；  （ＩＶ）前記複数の送風ユニットのうちの前記少なくとも１つの送風ユニットは、前記送風システムが送風する気体の流量の目標値の５０％から９０％を供給し、前記他の少なくとも１つのユニットが前記送風システムの気体の流量のバランスを目標値に調整する制御装置と、を有する、燃料電池。
【請求項１８】
請求項１１から１７のうちのいずれか１項における燃料電池の酸化性ガスの流れを制御する方法であって、前記方法は；  Ａ．前記複数の送風ユニットのうちの前記少なくとも１つの送風ユニットは、前記送風システムが送風する気体の流量の目標値の５０％から９０％を供給する制御手段と；  Ｂ．前記他の少なくとも１つのユニットは、前記送風システムの気体の流量のバランスを目標値に調整する調整手段と、を有する、燃料電池の酸化性ガスの流れを制御する方法。